(57)【要約】【課題】桐材の持つ特性を活かしつつ、吸放湿性能の高い調湿性板材を実現して、押入やクローゼット等の用途に用いられても吸放湿性能が十分に得られるようにする。【解決手段】押入に用いられる壁板２、天井板１及び床板３は、木質繊維板や無機質板からなる調湿性基材１１の表面に桐材の突板１２が一体的に貼着された桐材突板貼り調湿性板材１０とする。【選択図】図４
2006095907.tif 000002
【特許請求の範囲】
【請求項１】
調湿性基材の表裏面の少なくとも一方に桐材の突板が一体的に貼着されたことを特徴とする桐材突板貼り調湿性板材。
【請求項２】
請求項１の桐材突板貼り調湿性板材において、
調湿性基材は、
木質繊維板、
鉱物質繊維、無機質粉状体及び結合剤からなる表裏層間に、無機質発泡体及び結合剤からなる芯層が積層一体化されかつ該表裏層もしくは芯層の少なくとも一方に吸放湿性材料が添加された無機質板、
又は、鉱物質繊維、無機質粉状体、結合剤及び吸放湿性材料からなる無機質板
であることを特徴とする桐材突板貼り調湿性板材。
【請求項３】
請求項１又は２の桐材突板貼り調湿性板材からなる天井板、壁板及び床板と、
木質材の表裏面の少なくとも一方に桐材の突板が一体的に貼着された桐材突板貼り板材からなる棚板とを備えたことを特徴とする収納空間構造。
【請求項４】
請求項３の収納空間構造において、
木質材の少なくとも裏面に桐材の突板が一体的に貼着された桐材突板貼り板材からなる扉板を備えたことを特徴とする収納空間構造。
【発明の詳細な説明】
【技術分野】
【０００１】
本発明は、調湿性基材の表面に桐材の突板が貼着された桐材突板貼り調湿性板材、及びそれを用いた収納空間構造に関する。
【背景技術】
【０００２】
一般に、桐材は軽量で吸湿量や吸水量が極めて少なく、含水率の変化に伴う収縮率や膨張率も木材中で最小であり、防虫効果があって腐り難いとともに、軟らかい材料で切削やその他の加工が極めて容易である特長を持っている。
【０００３】
その反面、桐材の強度は弱いので、十分な強度を保持するためには他の一般の木質材に比べて厚めの板材を使用する必要があり、良い桐材を多く確保する必要があってコストアップの原因ともなる。また、桐材は木質材の中では吸放湿性能が低いという欠点がある。
【０００４】
このような桐材を用いるものとして、従来、特許文献１に示されるように、枠材に桐板材を貼った天井板、壁板、床板及び棚板からなる押入用桐製収納キットが知られている。
【特許文献１】実用新案登録第３０３１２４４号公報
【発明の開示】
【発明が解決しようとする課題】
【０００５】
上記特許文献１のものでは、桐材の持つ特性からみれば、衣類等を従来の桐ダンスに収納する場合と同様の効果が押入において得られる。
【０００６】
しかし、吸放湿性能が低いという桐材の欠点から、タンスと違ってじめじめし易い押入やクローゼット等の収納空間の用途としては、吸放湿性能が不足し、実用性が低いという難がある。
【０００７】
本発明は斯かる点に鑑みてなされたものであり、その目的は、桐材の持つ特性を活かしつつ、吸放湿性能の高い調湿性板材を実現することで、押入やクローゼット等の収納空間の用途に用いられても吸放湿性能が十分に得られるようにすることにある。
【課題を解決するための手段】
【０００８】
上記の目的の達成のため、この発明では、基材を調湿性基材として、その基材に桐材を突板として一体的に貼着するようにした。
【０００９】
具体的には、請求項１の発明の桐材突板貼り調湿性板材は、調湿性基材の表裏面の少なくとも一方に桐材の突板が一体的に貼着されたことを特徴とする。
【００１０】
請求項２の発明では、上記調湿性基材は、木質繊維板又は無機質板とする。この無機質板は、鉱物質繊維、無機質粉状体及び結合剤からなる表裏層間に、無機質発泡体及び結合剤からなる芯層が積層一体化されかつ該表裏層もしくは芯層の少なくとも一方に吸放湿性材料が添加された無機質板、又は鉱物質繊維、無機質粉状体、結合剤及び吸放湿性材料からなる無機質板とする。
【００１１】
請求項３及び４は収納空間構造の発明であり、請求項３の発明では、請求項１又は２の桐材突板貼り調湿性板材からなる天井板、壁板及び床板と、木質材の表裏面の少なくとも一方に桐材の突板が一体的に貼着された桐材突板貼り板材からなる棚板とを備えたことを特徴とする。
【００１２】
また、請求項４の発明では、請求項３の収納空間構造において、木質材の少なくとも裏面に桐材の突板が一体的に貼着された桐材突板貼り板材からなる扉板を備えたことを特徴とする。
【発明の効果】
【００１３】
請求項１の発明によると、調湿性基材の表面に桐材の突板を貼ることで、桐材特有の効果を保持しながら、吸放湿性能が低い桐材の弱点を調湿性基材で補って、吸放湿性能の高い板材が得られる。
【００１４】
請求項２の発明によると、上記望ましい調湿性基材が容易にかつ具体的に得られる。
【００１５】
請求項３の発明によれば、上記桐材突板貼り調湿性板材を収納空間の天井板、壁板及び床板に使用することで、桐材によって収納空間が覆われることとなり、桐材が有する特長が発現されて、調湿性能の高い収納空間が得られる。また、その棚板としては、木質材の少なくとも表面に桐材の突板を貼った板材を用いるので、強度の弱い桐材のみからなる板を用いるよりも厚さを薄くできるとともに、コストの低い木質材の表面にのみ機能性を有する桐材を薄い突板として貼るだけでよく、コストダウンを図ることができる。
【００１６】
請求項４の発明によれば、請求項３の発明と同様の効果が得られる上に、木質材の少なくとも裏面に桐材の突板を貼った扉板が加わることで、さらに全体として桐材が使用されて、その効果がより一層高まる。
【発明を実施するための最良の形態】
【００１７】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１８】
図１〜図３は本発明の実施形態に係る収納空間構造としての天袋無し押入（この他、天袋付押入であってもよい）を示し、この押入の天井板１、壁板２及び床板３には桐材突板貼り調湿性板材１０が、また棚板５及び枕棚板６には桐材突板貼り板材１５がそれぞれ用いられている。尚、図３は押入の構成材を概略的に示している。
【００１９】
上記天井板１、壁板２及び床板３に用いられる桐材突板貼り調湿性板材１０は、基本的に互いに同じ構造のもので、図４に壁板２を、また図６に天井板１をそれぞれ例示するように（床板３も図示しないが同様の構造である）、調湿性基材１１の表面（押入内空間に臨む面）に厚さ０．１〜１．０ｍｍの桐材の突板１２を一体的に貼ったものである。
【００２０】
尚、図４に示すように、壁板２の幅方向の一側部には、表面側を矩形状に切り欠いた雌実部２ａが、また他側部には、裏面側を矩形状に切り欠いた雄実部２ｂがそれぞれ形成されており、施工時には、隣り合う１対の壁板２，２を突き合わせ、その一方の壁板２の雌実部２ａに他方の壁板２の雄実部２ｂを嵌合することで、壁板２，２同士が実結合される。また、図６に示すように、天井板１の幅方向の一側部には、厚さ方向の中間部を切り欠いた矩形凹溝からなる雌実部１ａが、また他側部には、表裏面側を矩形状に切り欠いた雄実部１ｂがそれぞれ形成されており、施工時に、隣り合う１対の天井板１，１を突き合わせ、その一方の天井板１の雌実部１ａに他方の天井板１の雄実部１ｂを嵌合することで、天井板１，１同士が本実結合されるようになっている（図７参照）。
【００２１】
上記調湿性基材１１は木質繊維板又は無機質板からなる。この木質繊維板としては、例えばＡ級インシュレーションボード等の繊維板が用いられる。
【００２２】
また、上記無機質板は、図４又は図６に示すように、鉱物質繊維、無機質粉状体及び結合剤からなる表裏層１１ａ，１１ｂ間に、無機質発泡体及び結合剤からなる芯層１１ｃが積層一体化されかつ表裏層１１ａ，１１ｂ又は芯層１１ｃの少なくとも一方に吸放湿性材料が添加された３層構造のもの、或いは図示しないが、鉱物質繊維、無機質粉状体、結合剤及び吸放湿性材料からなる２層構造（３層以上でもよい）のものが用いられる。
【００２３】
前者の無機質板の表裏層１１ａ，１１ｂは互いに同じもので、鉱物質繊維、無機質紛状体及び結合剤を必須成分とするスラリーを湿式抄造して得られた湿潤マットで形成される。一方、芯層１１ｃは無機質発泡体及び結合剤を必須成分とする混合物で形成される。
【００２４】
上記表裏層１１ａ，１１ｂにおける鉱物質繊維は、例えばロックウール、ミネラルウール、グラスウール等を用いる。この鉱物質繊維の組成比は表裏層１１ａ，１１ｂの各々において２０〜６０重量％である。
【００２５】
また、無機質紛状体としては、例えば炭酸カルシウム、水酸化アルミニウム、マイクロシリカ、スラグ等を用いる。無機質紛状体の組成比は表裏層１１ａ，１１ｂにおいて３０〜７０重量％程度である。この無機質紛状体により、調湿性基材１１の防火性や硬さが向上し、取付固定性もよくなる。無機質紛状体は増量剤としても機能している。
【００２６】
さらに、結合材としては、例えばメラミン樹脂、フェノール樹脂、ポバール、エポキシ樹脂、スターチ等を用いる。この結合材の組成比は７〜１５重量％程度である。
【００２７】
この他、表裏層１１ａ，１１ｂにおける補助添加剤として、例えばポリプロピレン、ポリエステル、ビニロン等の合成繊維、麻、亜麻等の植物繊維や木質繊維を加える。また、必要に応じて凝集材、サイズ剤、消泡剤、混和剤等を添加してもよい。
【００２８】
一方、芯層１１ｃにおける無機質発泡体は、例えばパーライト、シラス発泡体、シリカフラワー、ガラス発泡体等を用いる。無機質発泡体の組成比は芯層１１ｃにおいて４０〜９０重量％程度である。
【００２９】
また、結合剤は、例えばメラミン樹脂、フェノール樹脂、ポバール、エポキシ樹脂、スターチ等を用いる。この結合剤の組成比は芯層１１ｃにおいて７〜１５重量％程度である。
【００３０】
この他、芯層１１ｃには、例えばロックウール、ミネラルウール、グラスウール等の鉱物質繊維、ポリプロピレン、ポリエステル、ビニロン等の合成繊維、麻、亜麻等の植物繊維や木質繊維を芯層１１ｃ全体の１〜４０重量％程度添加してもよい。また、炭酸カルシウム等の無機質粉状体を加えてもよい。
【００３１】
そして、上記芯層１１ｃ又は表裏層１１ａ，１１ｂの少なくともいずれか一方の材料中に添加される吸放湿材料としては、例えばＢ型シリカゲルがある。このＢ型シリカゲルは粉末状のもので、その粒子径は、調湿性基材１１の表面性に影響することから、２０メッシュ以上の（２０メッシュのふるいを通過する）ものが好ましい。また、Ｂ型シリカゲルの組成比は５〜４０重量％程度である。この吸放湿材料の添加により、調湿性基材１１は吸放湿性能を有するものとなる。その吸放湿性能は、例えば５０ｇ／ｍ2・２４ｈ以上とするのがよく、さらには７０ｇ／ｍ2・２４ｈ以上とするのが好ましい（いずれもＪＩＳ  Ａ１４７０−１「調湿建材の吸放湿性試験方法（中湿域）」による）。このＢ型シリカゲルの他に、例えばベントナイト、セピオライト、ゼオライト、珪藻土等、吸放湿性能を有する鉱物系・粘土系の材料を吸放湿材料として用いることができる。
【００３２】
上記後者の無機質板は、図示しないが、スラリーを湿式抄造して得られた２枚の湿潤マットを積層一体化して湿潤無機質板を形成して表裏層を有する２層構造のものとする。この湿潤マットは、上記の前者のものと同様に、鉱物質繊維、無機質紛状体及び結合剤を必須成分とするとともに、さらに吸放湿性材料（Ｂ型シリカゲル）をも必須成分とする。その他の材料成分は上記前者の無機質板と同様である。
【００３３】
一方、棚板５及び枕棚板６に用いられる桐材突板貼り板材１５も、基本的に互いに同じ構造のもので、図８及び図９に棚板５を、また図１０に枕棚板６をそれぞれ示すように、木質材１６の表裏面に厚さ０．１〜１．０ｍｍの桐材の突板１７，１７が一体的に貼着されている。上記木質材１６としては、例えば桐集成材がよく、その他、強度があれば他の木質材の集成材や合板でもよい。
【００３４】
尚、図８及び図９中、７は棚板５及び枕棚板６の前端下部に固定された桐単板からなる框材、８は該框材７に木ねじで固定された框補強材（図３には示していない）、９は棚板５及び枕棚板６の下面に木ねじにより固定された中補強桟（補強根太）である。
【００３５】
以上の押入を施工する方法は、通常の押入の施工方法と同様である。すなわち、その施工方法を概略的に説明すると、例えば壁を施工するときには、図５に示すように、柱２０及び間柱２１間に胴縁２２，２２，…が取り付けられている壁下地構造において、その胴縁２２，２２，…上に壁板２，２，…を接着剤（図示せず）及び釘２３により固定する。この壁板２の施工時、隣り合う１対の壁板２，２を突き合わせて、一方の壁板２の雌実部２ａに他方の壁板２の雄実部２ｂを嵌合することで、壁板２，２を実結合する。胴縁２２に対する接着剤及び釘２３の間隔は所定（例えば１５０ｍｍ）以下が望ましい。
【００３６】
一方、天井板１を施工するときには、図７に示すように、吊り木（図示せず）により吊り下げられた野縁２４（図１及び図２参照）と、この野縁２４に固定された合板等の天井下地材２５とを有する天井下地構造に対し、その下地材２５上に天井板１，１，…をステープル２６及び釘２７により固定する。この天井板１の施工時、隣り合う１対の天井板１，１を突き合わせて、一方の天井板１の雌実部１ａに他方の天井板１の雄実部１ｂを嵌合することで、天井板１，１を本実結合する。図７中、２８は回縁である。尚、床板３の施工方法は省略するが、通常の押入における床板３と同様である。
【００３７】
さらに、上記壁板２、天井板１及び床板３が施工された押入に対し棚板５及び枕棚板６を施工する。これら棚板５及び枕棚板６の施工方法は同じあり、棚板５（枕棚板６）の場合で説明すると、押入奥側（後側）及び左右両側の各壁板２において上記胴縁２２の取付高さ位置に合わせてそれぞれ後根太３０及び横根太３１，３１を取り付け、これら後根太３０及び左右の横根太３１，３１に棚板５（枕棚板６）を載せて固定する。尚、棚板５（枕棚板６）の框材７も左右端部で横根太３１，３１に固定する。そして、この棚板５（枕棚板６）の後端及び左右両端の各上面に雑巾摺り３２を取り付ける。以上により、押入が施工される。
【００３８】
したがって、この実施形態においては、調湿性基材１１表面に桐材の突板１２を貼った桐材突板貼り調湿性板材１０が押入の天井板１、壁板２及び床板３に使用され、その桐材突板貼り調湿性板材１０は、桐材特有の効果（例えば防虫効果や低収縮率等）を保持しながら、その桐材の吸放湿性能の低い弱点を補うものであるので、押入内の天井面、左右及び後の壁面、床面の５つの面が桐材によって覆われることとなり、桐材が有する特長が発現されつつ、調湿性能の高い押入が得られる。本発明者の実験によれば、桐単体では、その吸放湿性能は、例えば２５ｇ／ｍ2・２４ｈであったのに対し、天井板１、壁板２及び床板３に用いられた桐材突板貼り調湿性板材１０の吸放湿性能は、例えば３５ｇ／ｍ2・２４ｈであった（いずれもＪＩＳ  Ａ１４７０−１「調湿建材の吸放湿性試験方法（中湿域）」による）。
【００３９】
また、棚板５及び枕棚板６は、木質材１６の表裏面に桐材の突板１７，１７を貼った桐材突板貼り板材１５であるので、強度の弱い桐材のみからなる板を用いるよりも厚さを薄くできるとともに、コストの低い木質材１６を採用すれば、その表裏面にのみ機能性を有する桐材を薄い突板１７として貼るだけでよく、棚板５及び枕棚板６、ひいては押入のコストダウンを図ることができる。
【００４０】
（他の実施形態）
尚、上記実施形態では、棚板５及び枕棚板６として、木質材１６の表裏面に桐材の突板１７，１７を貼った桐材突板貼り板材１５を用いているが、木質材１６の表裏面の一方に桐材の突板１７を貼った桐材突板貼り板材１５を用いてもよい。
【００４１】
また、上記実施形態は、本発明を押入に適用したものであるが、他の収納空間であるクローゼットにも本発明を適用することができる。その場合、クローゼットを開閉する扉板に対し、上記棚板５（枕棚板６）と同様に、木質材の表裏面又はクローゼット内部側に臨む裏面のみに例えば厚さ０．１〜１．０ｍｍの桐材の突板が一体的に貼着された桐材突板貼り板材を用いるのが好ましい。
【００４２】
こうすると、上記実施形態１と同様の作用効果が得られるとともに、木質材の表裏面又は裏面に桐材の突板を貼った扉板によって桐材の使用面積がさらに増え、その桐材による効果をより一層高めることができる。
【産業上の利用可能性】
【００４３】
本発明は、桐材特有の効果を保持しながら、吸放湿性能が低い桐材の弱点を調湿性板材で補うことができ、極めて有用で産業上の利用可能性が高い。
【図面の簡単な説明】
【００４４】
【図１】本発明の実施形態に係る押入の正面図である。
【図２】押入の側面断面図である。
【図３】押入を側方から見て概略的に示す斜視図である。
【図４】壁板の断面図である。
【図５】壁板の施工方法を示す斜視図である。
【図６】天井板の断面図である。
【図７】天井板の施工方法を示す断面図である。
【図８】棚板の平面図である。
【図９】棚板の断面図である。
【図１０】枕棚板の平面図である。
【符号の説明】
【００４５】
１  天井板
２  壁板
３  床板
５  棚板
６  枕棚板
１０  桐材突板貼り調湿性板材
１１  調湿性基材
１１ａ  表層
１１ｂ  裏層
１１ｃ  芯層
１２  突板
１５  桐材突板貼り板材
１６  木質材
１７  突板
【図１】
2006095907.tif 000003
【図２】
2006095907.tif 000004
【図３】
2006095907.tif 000005
【図４】
2006095907.tif 000006
【図５】
2006095907.tif 000007
【図６】
2006095907.tif 000008
【図７】
2006095907.tif 000009
【図８】
2006095907.tif 000010
【図９】
2006095907.tif 000011
【図１０】
2006095907.tif 000012